(57)【要約】【課題】通信先装置内のデータと異なるデータが存在することを回避することが可能な送信装置、通信装置、通知システム、通知方法およびプログラムを提供する。【解決手段】送信装置は、データを保持するメモリと、データの移動先となる移動先装置と自装置とを接続する無線通信部と、移動先装置と自装置が接続されている状況で、データの移動の指示を受け付けると、メモリ内のデータを移動先装置に移動する処理部と、を含む。【選択図】図１
2012221462.tif 000002
【特許請求の範囲】
【請求項１】
データを保持する保持手段と、
前記データの移動先となる移動先装置と自装置とを接続する接続手段と、
前記接続手段が前記移動先端末と自装置とを接続している状況で、前記データの移動の指示を受け付けると、前記保持手段内のデータを前記移動先装置に移動する処理手段と、を含む送信装置。
【請求項２】
請求項１に記載の送信装置において、
前記処理手段は、前記接続手段が前記移動先端末と自装置とを接続している状況で、前記保持手段内のデータを読み出し、前記読み出されたデータを前記移動先装置に送信し、かつ、前記保持手段内の前記読み出されたデータを無効にして、前記保持手段内のデータを前記移動先装置に移動する、送信装置。
【請求項３】
請求項２に記載の送信装置において、
前記処理手段は、前記保持手段内の前記読み出されたデータを削除して、前記保持手段内の前記読み出されたデータを無効にする、送信装置。
【請求項４】
データを保持するための特定保持手段と、
請求項１に記載の送信装置から、前記データを受信する受信手段と、
前記受信手段が受信したデータを前記特定保持手段に記録する特定処理手段と、を含む通信装置。
【請求項５】
送信装置と通信装置とを有するデータ移動システムであって、
前記送信装置は、
データを保持する所定保持手段と、
前記データの移動先となる移動先装置と自装置とを接続する接続手段と、
前記接続手段が前記移動先装置と自装置とを接続している状況で、前記データの移動の指示を受け付けると、前記所定保持手段内のデータを前記移動先装置に移動する所定処理手段と、を含み、
前記通信装置は、
前記データを保持するための特定保持手段と、
前記送信装置から前記データを受信する受信手段と、
前記受信手段が受信したデータを前記特定保持手段に記録する特定処理手段と、を含む、データ移動システム。
【請求項６】
送信装置のデータ移動方法であって、
データを保持手段に保持する保持ステップと、
前記データの移動先となる移動先装置と前記送信装置とを接続する接続ステップと、
前記移動先装置と前記送信装置とが接続されている状況で、前記データの移動の指示を受け付けると、前記保持手段内のデータを前記移動先装置に移動する処理ステップと、を含むデータ移動方法。
【請求項７】
データを保持する特定保持手段を有する通信装置のデータ移動方法であって、
請求項６に記載の送信装置から前記データを受信する受信ステップと、
前記受信されたデータを前記特定保持手段に記録する特定処理ステップと、を含むデータ移動方法。
【請求項８】
送信装置と通信装置とを有するデータ移動システムのデータ移動方法であって、
前記送信装置が、データを所定保持手段に保持する所定保持ステップと、
前記送信装置が、該送信装置と前記通信装置とを接続する接続ステップと、
前記送信装置が、該送信装置と前記通信装置とが接続されている状況で、前記データの移動の指示を受け付けると、前記所定保持手段内のデータを前記移動先装置に移動する所定処理ステップと、
前記通信装置が、前記送信装置から前記データを受信する受信ステップと、
前記通信装置が、前記受信されたデータを特定保持手段に記録する特定処理ステップと、を含む、データ移動方法。
【請求項９】
送信装置内のコンピュータに、
データを保持手段に保持する保持手順と、
前記データの移動先となる移動先装置と前記送信装置とを接続する接続手順と、
前記移動先装置と前記送信装置とが接続されている状況で、前記データの移動の指示を受け付けると、前記保持手段内のデータを前記移動先装置に移動する処理手順と、を実行させるためのプログラム。
【請求項１０】
データを保持する特定保持手段を有する通信装置内のコンピュータに、
請求項９に記載の送信装置から前記データを受信する受信手順と、
前記受信されたデータを前記特定保持手段に記録する処理手順と、を実行させるためのプログラム。
【発明の詳細な説明】
【技術分野】
【０００１】
本発明は、送信装置、通信装置、データ移動システム、データ移動方法およびプログラムに関する。
【背景技術】
【０００２】
特許文献１には、複数の通信機能を有する情報反映元端末と情報反映先端末とを含む情報反映システムが記載されている。情報反映元端末と情報反映先端末とは、それぞれ格納部を備えている。
【０００３】
特許文献１に記載の情報反映システムにおいて、情報反映元端末の格納部に予め設定された通信機能の設定情報が格納されている状況で情報反映元端末が、自端末の格納部から設定情報を読み出すと、読み出した設定情報を情報反映先端末に送信する。情報反映先端末は、情報反映元端末から設定情報を受信すると、受信した設定情報を自端末の格納部に格納する。
【先行技術文献】
【特許文献】
【０００４】
【特許文献１】特開２００７−１８０８９０号公報
【発明の概要】
【発明が解決しようとする課題】
【０００５】
特許文献１に記載の情報反映先端末は、情報反映元端末から送信された設定情報を受信し、その設定情報を自端末の格納部に格納する。その後、情報反映先端末において、例えばユーザ操作にて、自端末の格納部に格納された設定情報が変更される場合がある。この場合には、情報反映元端末と情報反映先端末とで設定情報が互いに異なる状況が発生してしまう。
【０００６】
この状況で、情報反映元端末の格納部に残っている設定情報が、情報反映元端末から情報反映先端末へ送信されることも考えられる。この場合に情報反映先端末では、情報反映元端末から受信した設定情報が自端末の格納部に格納されるため、自端末の格納部内に存在している変更された設定情報が、情報反映元端末の格納部に残っていた設定情報に戻ってしまうことがあるという問題があった。
【０００７】
この問題は、情報反映元端末および情報反映先端末のそれぞれに互いに異なる設定情報が存在してしまうことに起因する。
【０００８】
このため、情報反映元端末および情報反映先端末のそれぞれの通信装置内に互いに異なる設定情報のデータが存在してしまうと問題となる場合がある。
【０００９】
本発明の目的は、通信先装置内のデータと異なるデータが存在することを回避することが可能な送信装置、通信装置、通知システム、通知方法およびプログラムを提供することにある。
【課題を解決するための手段】
【００１０】
本発明の送信装置は、データを保持する保持手段と、前記データの移動先となる移動先装置と自装置とを接続する接続手段と、前記接続手段が前記移動先端末と自装置とを接続している状況で、前記データの移動の指示を受け付けると、前記保持手段内のデータを前記移動先装置に移動する処理手段と、を含む。
【００１１】
本発明の通信装置は、データを保持するための特定保持手段と、送信装置から、前記データを受信する受信手段と、前記受信手段が受信したデータを前記特定保持手段に記録する特定処理手段と、を含む。
【００１２】
本発明のデータ移動システムは、送信装置と通信装置とを有するデータ移動システムであって、前記送信装置は、データを保持する所定保持手段と、前記データの移動先となる移動先装置と自装置とを接続する接続手段と、前記接続手段が前記移動先装置と自装置とを接続している状況で、前記データの移動の指示を受け付けると、前記所定保持手段内のデータを移動する所定処理手段と、を含み、前記通信装置は、前記データを保持するための特定保持手段と、前記送信装置から、前記データの移動が行われたデータを受信する受信手段と、前記受信手段が受信したデータを前記特定保持手段に記録する特定処理手段と、を含む。
【００１３】
本発明のデータ移動方法は、送信装置のデータ移動方法であって、データを保持手段に保持する保持ステップと、前記データの移動先となる移動先装置と前記送信装置とを接続する接続ステップと、前記移動先装置と前記送信装置とが接続されている状況で、前記データの移動の指示を受け付けると、前記保持手段内のデータを前記移動先装置に移動する処理ステップと、を含む。
【００１４】
本発明のデータ移動方法は、データを保持する特定保持手段を有する通信装置のデータ移動方法であって、送信装置から前記データを受信する受信ステップと、前記受信されたデータを前記特定保持手段に記録する特定処理ステップと、を含む。
【００１５】
本発明のデータ移動方法は、送信装置と通信装置とを有するデータ移動システムのデータ移動方法であって、前記送信装置が、データを所定保持手段に保持する所定保持ステップと、前記送信装置が、該送信装置と前記通信装置とを接続する接続ステップと、前記送信装置が、該送信装置と前記通信装置とが接続されている状況で、前記データの移動の指示を受け付けると、前記所定保持手段内のデータを移動する所定処理ステップと、前記通信装置が、前記送信装置から、前記データの移動が行われたデータを受信する受信ステップと、前記通信装置が、前記受信されたデータを特定保持手段に記録する特定処理ステップと、を含む。
【００１６】
本発明のプログラムは、送信装置内のコンピュータに、データを保持手段に保持する保持手順と、前記データの移動先となる移動先装置と前記送信装置とを接続する接続手順と、前記移動先装置と前記送信装置とが接続されている状況で、前記データの移動の指示を受け付けると、前記保持手段内のデータを前記移動先装置に移動する処理手順と、を実行させる。
【００１７】
本発明のプログラムは、データを保持する特定保持手段を有する通信装置内のコンピュータに、送信装置から前記データを受信する受信手順と、前記受信されたデータを前記特定保持手段に記録する処理手順と、を実行させる。
【発明の効果】
【００１８】
本発明によれば、通信先装置内のデータと異なるデータが存在することを回避することが可能になる。
【図面の簡単な説明】
【００１９】
【図１】本発明の一実施形態における送信装置の構成例を示すブロック図である。
【図２】本実施形態の受信装置の構成例を示すブロック図である。
【図３】本実施形態のデータ移動システムの構成を示すブロック図である。
【図４】データ移動システムのデータ移動方法を示すフローチャートである。
【発明を実施するための形態】
【００２０】
以下、本発明の一実施形態について図面を参照して説明する。
【００２１】
図１は、本実施形態における送信装置の構成例を示すブロック図である。
【００２２】
送信装置１０は、受信装置と通信を行う携帯端末である。送信装置１０は、例えば、携帯電話機、携帯情報端末や、ゲーム機などで実現される。送信装置１０は、メモリ１１と、無線通信部１２と、処理部１３と、を備える。処理部１３は、操作部１３１と、表示部１３２と、ＣＰＵ（Central Processing Unit）１３３と、を備える。
【００２３】
メモリ１１は、一般的に保持手段または所定保持手段と呼ぶことができる。
【００２４】
メモリ１１は、データの移動対象となる移動対象データを保持する。本実施形態では、メモリ１１には、移動対象データとして、画像や音楽などのコンテンツデータと設定データとが保持されている。設定データには、送信装置１０の機種ごとに定められた複数のデータが含まれている。また、メモリ１１は、ＣＰＵ１３３が実行するプログラムを保持する。なお、メモリ１１は、コンピュータ読み取り可能な記録媒体である。
【００２５】
なお、メモリ１１には、移動対象データとして、ユーザの日程表や時間割を示すスケジュールデータや、通信先の端末ごとに端末の使用者の氏名と電話番号とメールアドレスとを示すアドレス帳データなどが記録されてもよい。あるいは、メモリ１１には、コンテンツデータとその名称などが互いに対応付けられた対応表と、コンテンツデータとが記録されてもよい。
【００２６】
無線通信部１２は、一般的に接続手段と呼ぶことができる。
【００２７】
無線通信部１２は、ＣＰＵ１３３の制御に従って、無線通信を使用して送信装置１０とデータの移動先となる受信装置とを接続する。つまり、無線通信部１２は、送信装置１０および受信装置の間に他の装置を介さず、受信装置と直接通信を行う。
【００２８】
処理部１３は、一般的に処理手段または所定処理手段と呼ぶことができる。
【００２９】
処理部１３は、無線通信部１２で送信装置１０と受信装置とが接続されている状況で、データの移動を指示する旨の移動指示を受け付けると、メモリ１１内のデータを受信装置に移動する。
【００３０】
本実施形態では、処理部１３は、移動指示を受け付けると、メモリ１１内のデータから移動対象データを読み出し、その移動対象データを受信装置に送信し、かつ、メモリ１１内の移動対象データを削除して移動対象データを無効にする。なお、処理部１３は、移動対象データを無効にするために、メモリ１１内の移動対象データの保持領域に他のデータを上書きしてもよく、メモリ１１内の移動対象データへのアクセスを禁止してもよい。
【００３１】
操作部１３１は、ユーザ操作にて入力される指示を受け付け、その指示をＣＰＵ１３３に供給する。操作部１３１は、移動先の受信装置と送信装置１０とを接続状態にする旨の接続指示を受け付ける。また、無線通信部１２と受信装置とが接続状態のときに操作部１３１は、移動指示を受け付ける。
【００３２】
表示部１３２は、メモリ１１に記憶されたコンテンツデータや、無線通信部１２の接続状態などを表示する。表示部１３２としては、例えば、ＬＣＤ（Liquid Crystal Display）が用いられる。
【００３３】
ＣＰＵ１３３は、メモリ１１と無線通信部１２と操作部１３１と表示部１３２とをそれぞれ制御するコンピュータである。
【００３４】
ＣＰＵ１３３は、操作部１３１から移動指示を受け付けると、メモリ１１から、移動指示にて特定される移動対象データを読み出し、その移動対象データを無線通信部１２に供給する。無線通信部１２は、移動対象データを受け付けると、無線通信部１２と接続状態にある受信装置へ移動対象データを送信する。さらにＣＰＵ１３３は、操作部１３１から移動指示を受け付けると、メモリ１１内の移動対象データを無効にする。
【００３５】
また、メモリ１１内のコンテンツデータの一部と同じデータが受信装置内に既に記憶されている状況では、ＣＰＵ１３３は、例えば、操作部１３１からコンテンツデータの移動指示を受け付けると、メモリ１１内のコンテンツデータのうち、受信装置に記憶されているコンテンツデータ以外のコンテンツデータを読み出し、その読み出されたコンテンツデータを所定のブロックごとに受信装置へ順次送信してもよい。よって、コンテンツデータの移動に要する時間を短縮することが可能となる。
【００３６】
次に移動対象データの受信装置の構成について説明する。
【００３７】
図２は、本実施形態における受信装置の構成例を示すブロック図である。
【００３８】
受信装置２０は、一般的に通信装置または移動先装置と呼ぶことができる。
【００３９】
受信装置２０は、図１に示した送信装置と通信を行う携帯端末である。受信装置２０は、例えば、携帯電話機、携帯情報端末や、ゲーム機などで実現される。受信装置２０は、メモリ２１と、無線通信部２２と、処理部２３と、を備える。処理部２３は、操作部２３１と、表示部２３２と、ＣＰＵ２３３と、を備える。
【００４０】
メモリ２１は、一般的に特定保持手段と呼ぶことができる。
【００４１】
メモリ２１は、図１に示した送信装置から送信された移動対象データを保持するために用いられる。メモリ２１には、移動対象データとして、例えば、画像や音楽などのコンテンツデータと設定データとが保持される。また、メモリ２１は、ＣＰＵ２３３が実行するプログラムを保持する。なお、メモリ２１は、コンピュータ読み取り可能な記録媒体である。
【００４２】
無線通信部２２は、一般的に受信手段と呼ぶことができる。
【００４３】
無線通信部２２は、送信装置から、移動対象データを受信する。無線通信部２２は、移動対象データを受信すると、その移動対象データをＣＰＵ２３３に供給する。
【００４４】
処理部２３は、一般的に特定処理手段と呼ぶことができる。
【００４５】
処理部２３は、無線通信部２２から移動対象データを受け付けると、その移動対象データをメモリ２１に記録する。
【００４６】
操作部２３１は、ユーザ操作にて入力される指示を受け付け、その指示をＣＰＵ２３３に供給する。操作部２３１は、例えば、受信装置２０と送信装置とを接続するための接続指示や、データの移動をする旨の移動指示を受け付ける。また、操作部２３１は、例えば、ユーザ操作にて、メモリ２１内のデータを変更または追加するための入力データを受け付け、その入力データをＣＰＵ２３３に供給する。
【００４７】
表示部２３２は、メモリ２１に記憶されたコンテンツデータや無線通信部２２の接続状態などを表示する。表示部２３２としては、例えば、ＬＣＤ（Liquid Crystal Display）が用いられる。
【００４８】
ＣＰＵ２３３は、無線通信部２２から移動対象データを受け付けると、その移動対象データをメモリ２１に記録する。例えば、ＣＰＵ２３３は、無線通信部２２から、移動対象データとしてコンテンツデータを受け付けると、コンテンツデータをメモリ２１に記録する。
【００４９】
また、ＣＰＵ２３３は、無線通信部２２から、移動対象データとして設定データを受け付けると、その設定データの中から、受信装置２０の機種に対応する該当データを特定し、その該当データをメモリ２１に設定する。ＣＰＵ２３３は、無線通信装置２２から受け付けた設定データの中に、受信装置２０の機種に対応する該当データが存在しない場合には、予め定められたデフォルトデータをメモリ２１に設定する。
【００５０】
また、ＣＰＵ２３３は、操作部２３１から、例えば、受信装置２０の機能を設定する旨の設定指示を受け付けると、メモリ２１から、設定指示にて特定される入力データを読み出し、その入力データをメモリ２１に設定し、その入力データを設定データとしてメモリ２１に追加する。さらにＣＰＵ２３３は、無線通信部２２から、例えば、設定データの更新データを受け付けると、メモリ２１内の設定データを更新データに変更する。すなわち、ＣＰＵ２３３は、メモリ２１内の移動対象データを変更または追加して、移動対象データを管理する。
【００５１】
図３は、データ移動システムの構成例を示すブロック図である。
【００５２】
データ移動システム３０は、送信装置と、送信装置から送信された移動対象データを記録する受信装置と、を有する。送信装置は、図１に示した送信装置１０と同様の構成であり、受信装置は、図２に示した受信装置２０と同様の構成であるので、同一符号を付してここでの詳細な説明を省略する。
【００５３】
データ移動システム３０では、送信装置１０と受信装置２０とを接続状態にするために無線通信が用いられる。無線通信としては、例えば、Ｂｌｕｅｔｏｏｔｈなどが用いられる。このため、送信装置１０と受信装置２０との間を接続するケーブルなどの部品を必要としないので、ユーザにとってはデータの移動を容易に行うことができる。
【００５４】
送信装置１０では、メモリ１１に移動対象データが保持されており、無線通信部１２が送信装置１０と受信装置２０とを接続状態にする。接続状態において処理部１３は、データの移動の指示を受け付けると、メモリ１１内のデータのうち移動対象データを読み出す。そして処理部１３は、無線通信部１２を用いて移動対象データを受信装置２０に送信し、かつ、メモリ１１内の移動対象データを無効にする。
【００５５】
受信装置２０では、無線通信部２２が、送信装置１０から移動対象データを受信し、処理部２３は、無線通信部２２が受信した移動対象データをメモリ２１に記録する。その後、処理部２３は、データの移動の指示を受け付けると、メモリ２１から移動対象データを読み出し、その移動対象データを、無線通信部２２を用いて送信装置１０に送信し、かつ、メモリ２１内の移動対象データを無効にする。
【００５６】
なお、受信装置２０は、送信装置１０とは別の装置に接続することも可能である。この場合、処理部２３は、操作部２３１から、データの移動の指示を受け付けると、メモリ２１から移動対象データを読み出し、移動対象データを別の装置に移動する。
【００５７】
次にデータ移動システム３０の動作について説明する。
【００５８】
図４は、データ移動システム３０のデータ移動方法を示すフローチャートである。
【００５９】
まず、受信装置２０において、操作部２３１は、送信装置１０からの移動対象データを受信可能な状態にする旨の接続指示を受け付け、その接続指示をＣＰＵ２３３に供給する。ＣＰＵ２３３が受信指示を受け付けると、ＣＰＵ２３３の制御に従って無線通信部２２は、送信装置１０と接続可能な状態にする。
【００６０】
次に送信装置１０において、操作部１３１は、送信装置１０から受信装置２０にデータを送信可能な状態にする旨の接続指示を受け付け、その接続指示をＣＰＵ１３３に供給する。ＣＰＵ１３３が接続指示を受け付けると、ＣＰＵ１３３の制御に従って無線通信部１２は、受信装置２０と接続装置１０とを接続状態にする（ステップＳ９１）。
【００６１】
処理部１３は、操作部１３１から、データの移動を指示する旨の移動指示を受け付けると、メモリ１１内の移動対象データを受信装置２０に移動する。本実施形態では、処理部１３は、メモリ１１から移動対象データを読み出し、その移動対象データを受信装置２０に送信し、かつ、メモリ１１内の移動対象データを無効にする（ステップＳ９２）。すなわち、送信装置１０と受信装置２０との間で通信が行われ、送信装置１０はメモリ１１内の移動対象データを受信装置２０に転送する。そして移動対象データの転送完了時には送信装置１０は、メモリ１１内の移動対象データを削除する。
【００６２】
その後、受信装置２０において、無線通信部２２は、送信装置１０から送信された移動対象データを受信する（ステップＳ９３）。移動対象データを受信すると無線通信部２２は、その移動対象データを処理部２３に供給する。
【００６３】
処理部２３は、無線通信部２２から移動対象データを受け付けると、その移動対象データをメモリ２１に記録して（ステップ９４）、移動対象データを使用可能な状態（有効）にし、データ移動方法の一連の処理手順が終了する。
【００６４】
本実施形態によれば、送信装置１０は、送信装置１０の機種ごとに定められた設定データを保持するメモリ１１を有する。送信装置１０では、無線通信部１２が、設定データの移動先となる受信装置２０と送信装置１０とを接続し、受信装置２０と送信装置１０とが接続されている状況で処理部１３は、データの移動の指示を受け付けると、メモリ１１内の設定データを移動する。具体的には、処理部１３は、メモリ１１内の設定データを読み出し、その設定データを受信装置２０に送信し、かつ、メモリ１１内の読み出された設定データを削除して設定データを無効にする。
【００６５】
このため、送信装置１０は、メモリ１１に記憶されたデータを受信装置２０に移動することが可能となる。よって、送信装置１０と受信装置２０とで異なる設定データが存在することを回避することができる。
【００６６】
一般に複数の端末内のデータを同一にするためには、複数の端末内のデータを管理するサーバやＰＣ（Personal Computer）などの中継装置が用いられることが多い。この場合、ある端末でデータが変更されると、その変更された後の変更データが中継装置に送信され、変更データを受信した中継装置は、その変更データを他の端末に送信する。
【００６７】
これに対し、送信装置１０は、メモリ１１に記憶された設定データを、中継装置を介さずに移動先となる受信装置２０に直接送信するので、簡易な構成でデータの移動を行うことができる。また、ユーザにとっては、ネットワークを介して中継装置と接続する作業が必要ないため、手間が省かれる。
【００６８】
また、本実施形態によれば、受信装置２０は、移動対象データである設定データを保持するためのメモリ２１を有し、無線通信部２２が、送信装置１０から、データの移動が行われた設定データを受信すると、処理部２３は、その設定データをメモリ２１に記録する。
【００６９】
よって、受信装置２０は、送信装置１０内に記憶されていた設定データをメモリ２１に移動する。
【００７０】
また、受信装置２０において、処理部２３は、例えばユーザ操作にて入力された入力データを受け付けると、その入力データを設定データとしてメモリ２１に記録する。例えば、メモリ２１にスケジュールデータが記憶されている場合、処理部２３は、ユーザの予定を示す入力データを受け付けると、その入力データをメモリ２１内のスケジュールデータに記録する。
【００７１】
このため、受信装置２０は、メモリ２１に記録された設定データの追加、修正または更新を行うことができる。すなわち、受信装置２０は、メモリ２１に記録された設定データをまとまった情報として管理することができる。また、受信装置２０は、例えば自装置に関係のない入力データであっても、その入力データを削除せずにメモリ２１に記録する。
【００７２】
また、受信装置２０において、処理部２３は、データの移動の指示を受け付けると、メモリ２１内の設定データを読み出し、その設定データを移動先装置に送信し、かつ、メモリ２１内の設定データを無効にする。
【００７３】
このため、受信装置２０は、メモリ２１で管理された設定データを別の装置に移動することができる。また、受信装置２０は、メモリ２１で管理された設定データを送信装置１０に戻すこともできる。
【００７４】
よって、送信装置１０と受信装置２０とを含むデータ移動システム３０は、設定データを容易に送信装置１０から受信装置２０へ移行することが可能となる。このため、送信装置１０および受信装置２０内に互いに異なる設定データが存在することを回避でき、設定データの一貫性を保つことができる。
【００７５】
なお、本実施形態では、無線通信部１２および２２が無線通信を用いて送信装置１０と接続装置２０とを接続する例について説明したが、両装置を接続する手法としては無線通信に限られず、ケーブルなどを介して行う有線通信が用いられても良い。
【００７６】
また、本実施形態は、同一のユーザによって択一的に使用される複数の携帯端末に適用することが可能である。または、多数の端末が不特定多数の人に貸し出される端末に適用することも可能である。
【００７７】
以上説明した実施形態において、図示した構成は単なる一例であって、本発明はその構成に限定されるものではない。
【００７８】
上記の実施形態の一部または全部は、以下の付記のようにも記載されうるが、以下には限られない。
【００７９】
（付記１）データを保持する保持手段と、前記データの移動先となる移動先装置と自装置とを接続する接続手段と、前記接続手段が前記移動先端末と自装置とを接続している状況で、前記データの移動の指示を受け付けると、前記保持手段内のデータを前記移動先装置に移動する処理手段と、を含む送信装置。
【００８０】
（付記２）前記処理手段は、前記接続手段が前記移動先端末と自装置とを接続している状況で、前記保持手段内のデータを読み出し、前記読み出されたデータを前記移動先装置に送信し、かつ、前記保持手段内の前記読み出されたデータを無効にして、前記保持手段内のデータを前記移動先装置に移動する、付記１に記載の送信装置。
【００８１】
（付記３）前記処理手段は、前記保持手段内の前記読み出されたデータを削除して、前記保持手段内の前記読み出されたデータを無効にする、付記２記載の送信装置。
【００８２】
（付記４）前記移動先装置は、前記保持手段内のデータの一部と同じデータを記憶しており、前記処理手段は、前記保持手段内のデータのうち、前記移動先装置内に記憶されたデータ以外のデータを前記移動先装置に移動する、付記１から３のいずれか記載の送信装置。
【００８３】
（付記５）データを保持するための特定保持手段と、付記１に記載の送信装置から、前記データを受信する受信手段と、前記受信手段が受信したデータを前記特定保持手段に記録する特定処理手段と、を含む通信装置。
【００８４】
（付記６）前記特定処理手段は、前記データの移動の指示を受け付けると、前記特定保持手段に記録されたデータを移動先装置に移動する、付記５に記載の通信装置。
【００８５】
（付記７）送信装置と通信装置とを有するデータ移動システムであって、前記送信装置は、データを保持する所定保持手段と、前記データの移動先となる移動先装置と自装置とを接続する接続手段と、前記接続手段が前記移動先装置と自装置とを接続している状況で、前記データの移動の指示を受け付けると、前記所定保持手段内のデータを前記移動先装置に移動する所定処理手段と、を含み、前記通信装置は、前記データを保持するための特定保持手段と、前記送信装置から前記データを受信する受信手段と、前記受信手段が受信したデータを前記特定保持手段に記録する特定処理手段と、を含む、データ移動システム。
【００８６】
（付記８）前記所定処理手段は、前記接続手段が前記移動先端末と自装置とを接続している状況で、前記所定保持手段内のデータを読み出し、前記読み出されたデータを前記移動先装置に送信し、かつ、前記所定保持手段内の前記読み出されたデータを無効にして、前記所定保持手段内のデータを前記移動先装置に移動する、付記７に記載のデータ移動システム。
【００８７】
（付記９）送信装置のデータ移動方法であって、データを保持手段に保持する保持ステップと、前記データの移動先となる移動先装置と前記送信装置とを接続する接続ステップと、前記移動先装置と前記送信装置とが接続されている状況で、前記データの移動の指示を受け付けると、前記保持手段内のデータを前記移動先装置に移動する処理ステップと、を含むデータ移動方法。
【００８８】
（付記１０）前記処理ステップでは、前記接続手段が前記移動先端末と自装置とを接続している状況で、前記保持手段内のデータを読み出し、前記読み出されたデータを前記移動先装置に送信し、かつ、前記保持手段内の前記読み出されたデータを無効にする、付記９に記載のデータ移動方法。
【００８９】
（付記１１）データを保持する特定保持手段を有する通信装置のデータ移動方法であって、付記９に記載の送信装置から前記データを受信する受信ステップと、前記受信されたデータを前記特定保持手段に記録する特定処理ステップと、を含むデータ移動方法。
【００９０】
（付記１２）前記特定処理ステップでは、前記データの移動の指示を受け付けると、前記特定保持手段内のデータを移動先装置に移動する、付記１１に記載のデータ移動方法。
【００９１】
（付記１３）送信装置と通信装置とを有するデータ移動システムのデータ移動方法であって、前記送信装置が、データを所定保持手段に保持する所定保持ステップと、前記送信装置が、該送信装置と前記通信装置とを接続する接続ステップと、前記送信装置が、該送信装置と前記通信装置とが接続されている状況で、前記データの移動の指示を受け付けると、前記所定保持手段内のデータを前記移動先装置に移動する所定処理ステップと、前記通信装置が、前記送信装置から前記データを受信する受信ステップと、前記通信装置が、前記受信されたデータを特定保持手段に記録する特定処理ステップと、を含む、データ移動方法。
【００９２】
（付記１４）送信装置内のコンピュータに、データを保持手段に保持する保持手順と、前記データの移動先となる移動先装置と前記送信装置とを接続する接続手順と、前記移動先装置と前記送信装置とが接続されている状況で、前記データの移動の指示を受け付けると、前記保持手段内のデータを前記移動先装置に移動する処理手順と、を実行させるためのプログラム。
【００９３】
（付記１５）データを保持する特定保持手段を有する通信装置内のコンピュータに、付記１４に記載の送信装置から前記データを受信する受信手順と、前記受信されたデータを前記特定保持手段に記録する処理手順と、を実行させるためのプログラム。
【符号の説明】
【００９４】
１０  送信装置
１１、２１  メモリ
１２、２２  無線通信部
１３、２３  処理部
１３１、２３１  操作部
１３２、２３２  表示部
１３３、２３３  ＣＰＵ
２０  受信装置
３０  データ移動システム
【図１】
2012221462.tif 000003
【図２】
2012221462.tif 000004
【図３】
2012221462.tif 000005
【図４】
2012221462.tif 000006